(57)【要約】【課題】遊技機裏面側の部品配置スペースを拡大させた遊技機を得る。【解決手段】外枠１２を金属材料で成形することで、従来まで使用していた木枠と比較すると剛性が高くなるため、その分外枠１２の肉厚を薄肉にすることができる。ところで、外枠１２はパチンコホールのパチンコ機隣接設置部である所謂「島」に設けられた取付枠内に固定されるため、外枠１２の外壁面の寸法は決まっている。このため、外枠１２の肉厚を薄肉にすることで、対面する内壁面同士の離間距離が広がり、外枠１２の開口面積が広くなることとなる。従って、外枠１２の内側に配置される内枠の裏面側に配設される電子部品の実装スペースを大きくすることができる。【選択図】  図４
2004188065.tif 000002
【特許請求の範囲】
【請求項１】
遊技機用島設備に固定される略矩形状の外枠と、
前記外枠に回動可能に軸支され、外枠の内側に配置されると共に、前面側に遊技盤が設けられ、裏面側に電子部品が配設された内枠と、
を備えた遊技機において、
前記外枠を金属材料で成形し、外枠の肉厚を薄肉にして外枠の開口面積を増大させたことを特徴とする遊技機。
【請求項２】
前記内枠を回転可能に軸支するヒンジ部及び内枠との係止部材が前記外枠と一体成形されたことを特徴とする請求項１に記載の遊技機。
【請求項３】
前記金属材料がアルミニウムであることを特徴とする請求項１に記載の遊技機。
【発明の詳細な説明】
【０００１】
【発明の属する技術分野】
本発明は、パチンコ機などの遊技機に関する。
【０００２】
【従来の技術】
近年のパチンコ機では、遊技盤表面側に取付ける表示装置、役物等が大型化される傾向にあり、それに加えて、遊技盤裏面側に取付ける基板、電気部品等の増加及び大型化も検討されている。
【０００３】
しかし、パチンコ機が固定される、パチンコホールのパチンコ機隣接設置部である所謂「島」には、矩形状の取付枠が設けられており、この寸法は大きくすることができない。
【０００４】
このため、部品の実装スペースは限られてしまい、部品の増加及び大型化が思うようにできない。このような実情から、例えば、特願２００２―２５６３２７号では、パチンコ機の裏面の上部左側部側に設けられたタンクに貯えられた賞球を下方に案内する樋を、内枠裏面の左側部側に設け、タンクの略真下に配置することで、樋の大きさの縮小化を図り、表示装置、役物等の大型化に対応できるようにしている。
【０００５】
一方、特許文献１では、取付枠に取付ける木製の外枠（いわゆる木枠）に変えて、木質系粉末材料と合成樹脂材料との混合材料で一体成形しているが、肉厚の成形品（外枠）を成形することによって生じるひけを防止するために行なう肉盗みによる強度不足の弊害を解決するというものであり、あくまでも木枠の幅を維持するということを前提とした内容である。
【０００６】
このように、現状では、あくまでも限られたスペースの中で、パチンコ機の裏面側に配設された部品の配置を変えたり大きさを変えたりすることで、各部品を効果的に配設し、表示装置、役物等の大型化に対応している。
【０００７】
【特許文献１】
特開２００２−２３３６４１公報  （第５−６頁、第１図）
【０００８】
【発明が解決しようとする課題】
本発明は上記事実を考慮して、遊技機裏面側の部品配置スペースを拡大させた遊技機を提供することを課題とする。
【０００９】
【課題を解決するための手段】
請求項１に記載の発明は、遊技機用島設備に固定される略矩形状の外枠と、前記外枠に回動可能に軸支され外枠の内側に配置されると共に、前面側に遊技盤が設けられ裏面側に電子部品が配設された内枠と、を備えた遊技機において、前記外枠を金属材料で成形し、外枠の肉厚を薄肉にして外枠の開口面積を増大させたことを特徴としている。
【００１０】
請求項１に記載の発明では、外枠を金属材料で成形し、外枠の肉厚を薄肉にして外枠の開口面積を増大させている。外枠が金属製の場合、木枠と比較すると剛性が高くなるため、その分外枠の肉厚を薄肉にすることができる。また、金属は木材と比較して比重が大きいため質量が大きくなってしまうが、外枠の肉厚を薄肉にすることで、軽量化を図ることができる。
【００１１】
ところで、外枠は遊技機用島設備に設けられた取付枠内に固定されるため、外枠の外壁面の寸法は決まっている。このため、外枠の肉厚を薄肉にすることで、対面する内壁面同士の離間距離が広がり、外枠の開口面積が広くなることとなる。従って、外枠の内側に配置される内枠の裏面側に配設される部品の実装スペースを大きくすることができる。
【００１２】
例えば、外枠の開口部に対応して内枠の外径寸法を大きくすることで、内枠裏面に取付ける賞球タンク、賞球払出装置や各種制御基板等をより外側に配置することが可能となり、遊技盤に搭載する部品の実装スペースを拡大することができる。
【００１３】
また、外枠を木枠から金属に変更することで、環境への負荷を低減することができ、リサイクルにおいても、金属を使用することで、耐久性が向上し、パーツリサイクル性が良くなる。
【００１４】
さらに、木枠の場合、角材を金属製の連結部材で連結させて外枠を形成するが、外枠を一体成形することで、該連結部材が不要となる。このため、枠組みするための組立作業が不要となり、作業工数が低減されると共に、部品点数を削減することができる。従って、コストダウンを図ることができる。また、リサイクルにおいても、分解等の手間が要らないので、素材（金属）へのリサイクル性も良好になる。
【００１５】
請求項２に記載の発明では、内枠を回転可能に軸支するヒンジ部及び内枠との係止部材を外枠と一体成形している。このように、ヒンジ部及び係止部材を外枠と一体的に設けることで、ヒンジ部及び係止部材の位置決め精度が高くなる。
【００１６】
また、ヒンジ部及び係止部材を外枠に固定する際に使用していたネジ等の異材質部品が不要となるため、組立作業性が向上すると共に、外枠を素材へ戻す際に出る不純物の量を抑えることができる。
【００１７】
請求項３に記載の発明では、金属材料をアルミニウムとしている。外枠をマグネシウム合金で成形することも考えられるが、マグネシウム合金で成形する場合、大型製品を成形するための成形機が普及されていないため、アルミニウムが好適である。
【００１８】
【発明の実施の形態】
以下、図面を参照して本発明の実施の形態を説明する。
【００１９】
図１及び図２には、本発明の実施の形態に係るパチンコ機の表面側が示されており、図３には、パチンコ機の裏面側が示されている。
【００２０】
図１及び図２に示すように、パチンコ機１０には、矩形額縁状の外枠１２が備えられており、パチンコ機１０の外郭部を構成し、パチンコホールのパチンコ機隣接設置部である所謂「島」（図示省略）に固定される。
【００２１】
外枠１２の左側端部には、図４（なお、図４は外枠１２の表面側からの斜視図である）に示すように、ヒンジ部７０、７２が設けられており、外枠１２の右側端部には、鍵状の一対の係止部８４が外枠１２と一体に形成されている。
【００２２】
ヒンジ部７０の下面側には、図示しない溝部が形成されており、ヒンジ部７２の上面からはピン７２Ａが立設している。一方、図１及び図３に示すように、内枠１４の左側端部（図３では、内枠１４の右側端部）の上下には、ヒンジ板７８、８０が固定されている。
【００２３】
ヒンジ板７８にはピン７９が立設しており、ヒンジ板８０には図示しない穴部が形成されている。ヒンジ板８０に形成された穴部にヒンジ部７２のピン７２Ａを挿通させ、ヒンジ部７０にピン７９を軸支させる。これにより、外枠１２に対して内枠１４が開閉可能となる。
【００２４】
また、内枠１４の自由端側には、一対のフック８２が固定されており、内枠１４が閉止されるとき、スライダー装置２３によって、フック８２が下方へ回動し、内枠１４が閉止されると、フック８２が元の位置に戻ると共に、フック８２に形成された溝部８２Ａが係止部８４に係止され、内枠１４が外枠１２に対して固定される。
【００２５】
さらに、内枠１４の前面上部には、ガラス枠２０が配置されており、ガラス枠２０の左側端部が内枠１４に軸支され、内枠１４に対して開閉可能に取付けられている。
【００２６】
ここで、ガラス枠２０には、ガラスフレーム１８が備えられており、このガラスフレーム１８内にガラス板１６が装着されている。また、ガラス枠２０と内枠１４とは、内枠１４の右側端部に設けられたシリンダ錠２２により、ガラス枠２０が閉止された状態で施錠されるようになっている。
【００２７】
また、内枠１４の前面下部には、遊技者側へ突出した球皿部２４を備えた一体皿２６が設けられており、一体皿２６の左側端部が内枠１４に軸支され、内枠１４に対して開閉可能に取付けられている。
【００２８】
この一体皿２６の前面の上部右寄りには、球排出口２７が設けられており、貸し球や賞球が排出される。球排出口２７から排出された貸し球や賞球は、球皿部２４に貯留されると共に、球皿部２４の下流側に設けられた誘導通路２４Ａにより一列に整列されて打球発射装置２５（図３参照）へ誘導される。
【００２９】
また、一体皿２６の前面には、左側下部に灰皿２８が配置され、右側下部には打球発射装置２５から発射する遊技球の飛距離を調整するための発射ハンドル３０が設けられている。
【００３０】
さらに、一体皿２６の上部には、遊技盤３２が取り付けられており、ガラス板１６によって覆われるようになっている。この遊技盤３２は、ベニヤ板３３の表面に樹脂材料で形成されたシート状のセル３４が貼着されて形成されており、盤面３２Ａには、外バンド３６及び内バンド３７とレール飾り３８、３９とによって囲まれた略円形状の遊技領域４０が設けられている。
【００３１】
この遊技領域４０内に、背景画像や各種キャラクター画像等を含む装飾画（図示省略）が印刷されている。また、遊技領域４０には、特別図柄表示装置４２や大入賞口（変動入賞装置）４４等の役物、始動口４６や入賞口４８、風車５０等の遊技部品、左右側端部に配置されたサイド飾り５２Ａ、５２Ｂが取り付けられており、最下位置にアウト口５４が配置されている。
【００３２】
さらに、遊技盤３２の右側端部に配置されたレール飾り３８の右下隅には、証紙５６を貼り付た証紙台５８が取り付けられており、この証紙台５８は、左方に配置されたヒンジ板６０に支持されて、盤面３２Ａに対して開閉動するようになっている。
【００３３】
また、図２に示すように、パチンコ機１０の正面には、ガラス枠２０の前面に、賞球表示灯や完了表示灯等の機能を有する複数の表示灯６２及び賞球払出エラー表示灯６３Ａや払出状態エラー表示灯６３Ｂがガラス板１６（図１に示す遊技盤３２の遊技領域４０）を取り囲むように配列されており、左上隅近傍と右側端上部に、遊技の効果音を発生するスピーカー６４、６６が配置されている。
【００３４】
一方、図３に示すように、内枠１４に取付けられた遊技盤３２の裏面には、各種機構部品や電気部品等を搭載した機構枠体としての裏セット８６が取り付けられている。ここで、裏セット８６の構成について概略説明する。
【００３５】
裏セット８６の実装スペース１５には、主基板１０２及び図柄制御基板１０４が設けられており、主基板１０２及び図柄制御基板１０４の周りには、賞球払出機構８８が設けられている。この賞球払出機構８８には上タンク９０と下タンク９２とで構成されたタンクセット９４が備えられており、内枠１４裏面の上部左側に配置されている。
【００３６】
上タンク９０と下タンク９２とは、互いに連通しており、ホールに設置された島設備から供給された遊技球は一端、上タンク９０で貯球される。上タンク９０から下タンク９２へ移動した遊技球は、下タンク９２内で整列され、球詰まりしないようにして下タンク９２の下流側に配置された樋９６へ案内される。樋９６には遊技球が貯溜可能となっており、樋９６の下端部には賞球払出装置９８が配設されている。
【００３７】
一方、裏セット８６の下部には、払出制御基板１００が配設されており、賞球払出装置９８の通常の排出動作（賞球や貸球の排出動作）を制御している。遊技中に、パチンコ球が図１に示す遊技盤３２に設けられた入賞口４８に入賞すると、図示しない入賞球センサから出力される入賞球検出信号に基づいて、払出制御基板１００に配設された払出制御回路（図示省略）へ信号が送信され、これにより、賞球払出装置９８が駆動し、入賞価値に応じた所定数のパチンコ球（賞球）が排出される。
【００３８】
ここで、賞球払出装置９８には、球排出口２７（図１参照）と連通する球案内通路１０６が連設されており、球案内通路１０６へ排出された賞球は、球排出口２７を経て、球皿部２４（図１参照）へ払い出されるようになっている。
【００３９】
次に、本発明の実施の形態に係るパチンコ機の要旨について説明する。
【００４０】
外枠１２を、金型によってアルミニウムで成形している。図４に示すように、外枠１２の下部には、保持板１０８を外枠１２と一体に設けており、外枠１２の前面から一段下がった位置に形成している。
【００４１】
この保持板１０８の前面には、下飾り部材１１０（図１参照）が取り付け可能となっている。保持板１０８の両端側には、係合穴１０８Ａを貫通させており、下飾り部材１１０の裏面に形成された係合ボス（図示省略）を係合穴１０８Ａに係合させ、下飾り部材１１０を保持板１０８に固定させる。
【００４２】
また、保持板１０８の上端側には、段部１０８Ｂが形成されており、内枠１４を外枠１２に軸支させる過程で、内枠１４の過重を受けるための載置部１０７が設けられている。
【００４３】
このため、保持板１０８の裏面側には、この載置部１０７及び段部１０８Ｂを支持するためのステイ１０９が複数設けられている。このステイ１０９の肉厚は、外枠１２の周壁の肉厚と略同一としており、外枠１２の成形後にひけが生じないようにしている。
【００４４】
また、外枠１２の開口部１２Ａの左側端部の上下には、外枠１２と一体に、ヒンジ部７０、７２を設けており、外枠１２の前面から張り出させている。このヒンジ部７０、７２には内枠１４（図３参照）に設けられたヒンジ板７８、８０（図３参照）が軸支され、外枠１２に対して内枠１４を開閉可能としている。
【００４５】
ここで、ヒンジ部７０、７２について、ヒンジ部７０、７２に溝部或いはピンを形成する場合、外枠を成形する金型の離型方向に対して、いわゆるアンダーカット部となってしまう。このため、金型にスライドコア等を設けることも考えられるが、金型加工費等を考慮し、二次加工によって形成しても良い。
【００４６】
また、外枠１２の開口部１２Ａの右側端部には、外枠１２と一体に、内壁面に一対の係止部８４を設けている。この係止部８４には、内枠１４に設けられたフック８２（図１参照）が係止可能となっており、係止部８４にフック８２が係止された状態で、内枠１４が外枠１２に固定される。
【００４７】
次に、本発明の実施の形態に係るパチンコ機の作用について説明する。
【００４８】
外枠１２をアルミニウムで成形することで、図５（Ａ）、（Ｂ）（なお、図５（Ａ）は木枠を示し、図５（Ｂ）はアルミニウム製の外枠を示している。）に示すように、従来まで使用していた木枠２００と比較すると剛性が高くなるため、その分外枠１２の肉厚を薄肉にすることができる（木枠２００の肉厚ｔ1に対してアルミニウム製の外枠１２の肉厚ｔ2）。
【００４９】
また、金属は木材と比較して比重が大きいため質量が大きくなってしまうが、外枠１２の肉厚を薄肉にすることで、軽量化を図ることができ、木枠２００と略同一の質量とすることができる。
【００５０】
ところで、外枠１２は図示しないパチンコホールのパチンコ機隣接設置部である所謂「島」に設けられた取付枠内に固定されるため、外枠１２の外壁面の寸法は決まっている。
【００５１】
このため、外枠１２の肉厚を薄肉にすることで、対面する内壁面同士の離間距離が広がり、外枠１２の開口面積が広くなることとなる。従って、外枠１２の内側に配置される内枠１４の裏面側に配設される部品の実装スペース１５を大きくすることができる。
【００５２】
例えば、外枠１２の開口部１２Ａに対応して内枠１４の外径寸法を大きくすることで、図３に示すように、内枠１４の裏面に取付けるタンクセット９４、賞球払出装置９８や払出制御基板１００等をより外側に配置することが可能となり、遊技盤３２に搭載する部品の実装スペース１５を拡大することができる。
【００５３】
また、外枠１２を木枠２００から金属に変更することで、環境への負荷を低減することができ、リサイクルにおいても、金属を使用することで、耐久性が向上し、パーツリサイクル性が良くなる。
【００５４】
さらに、図５（Ａ）に示すように、木枠２００の場合、各角材２００Ａ、２００Ｂ、２００Ｃ、２００Ｄを金属製の連結部材２０２Ａ、２０２Ｂ、２０２Ｃ、２０２Ｄで連結させて外枠を形成するが、図５（Ｂ）に示すように、外枠１２を一体成形することで、連結部材が不要となる。このため、分解等の手間が要らないので、素材（金属）へのリサイクル性も良好になる。
【００５５】
また、図４に示すように、ヒンジ部７０、７２及び係止部８４を外枠１２と一体に成形することで、ヒンジ部７０、７２及び係止部８４の位置決め精度が高くなる。また、ヒンジ部７０、７２及び係止部８４を外枠１２に固定する際に使用していたネジ等の異材質部品が不要となるため、組立作業性が向上すると共に、外枠１２を素材へ戻す際に出る不純物の量を抑えることができる。
【００５６】
なお、ここでは、外枠１２を成形する金属材料をアルミニウムとしたが、外枠１２を金属材料で成形すれば良いため、これに限るものではない。例えば、マグネシウム合金で外枠１２を成形しても良い。但し、マグネシウム合金で成形する場合、大型製品を成形するための成形機が普及されていないため、アルミニウムが好適である。
【００５７】
以上、本発明を上述した特定の実施形態により詳細に説明したが、本発明はそれに限定されるものではなく、本発明の範囲内にて他の種々の実施形態が可能である。例えば、本形態では、一体皿構成としが、上皿と下皿を別々に備えたパチンコ機に適用することもできる。
【００５８】
【発明の効果】
本発明は、上記構成としたので、請求項１及び請求項３に記載の発明では、外枠の肉厚を薄肉にすることで、対面する内壁面同士の離間距離が広がり、外枠の開口面積が広くなることとなるため、外枠の内側に配置される内枠の裏面側に配設される電子部品の実装スペースを大きくすることができる。
【００５９】
また、外枠を木枠から金属に変更することで、環境への負荷を低減することができ、リサイクルにおいても、金属を使用することで、耐久性が向上し、パーツリサイクル性が良くなる。さらに、木枠の場合、角材を金属製の連結部材を連結させて外枠を形成するが、外枠を一体成形することで、該連結部材が不要となる。このため、分解等の手間が要らないので、素材へのリサイクル性も良好になる。
【００６０】
請求項２に記載の発明では、ヒンジ部及び係止部材を外枠と一体的に設けることで、各部の寸法精度が高くなる。また、ヒンジ部及び係止部材を外枠に固定する際に使用していたネジ等の異材質部品が不要となるため、組立作業性が向上すると共に、外枠を素材へ戻す際に出る不純物の量を抑えることができる。
【図面の簡単な説明】
【図１】本発明の実施の形態に係るパチンコ機を示した斜視図である。
【図２】本発明の実施の形態に係るパチンコ機を示した正面図である。
【図３】本発明の実施の形態に係るパチンコ機を示した裏面図である。
【図４】本発明の実施の形態に係るパチンコ機を構成する外枠の斜視図である。
【図５】（Ａ）は木枠を示す裏面図であり、（Ｂ）はアルミニウム製の外枠と該外枠に配置される内枠との関係を示す裏面図である。
【符号の説明】
１０   パチンコ機（遊技機）
１２   外枠
１４   内枠
７０   ヒンジ部
７２   ヒンジ部
８４   係止部（係止部材）
【図１】
2004188065.tif 000003
【図２】
2004188065.tif 000004
【図３】
2004188065.tif 000005
【図４】
2004188065.tif 000006
【図５】
2004188065.tif 000007